(57)【要約】【課題】電装ボックスに収容された基板のメンテナンス性の向上を図る。【解決手段】ボックス本体３１と蓋体とで形成され、蓋体を開けるとボックス本体３１の開口部３０Ａの略一杯に制御基板３２及び第２電源基板３３Ｂを支持した基板支持板９０が露出する電装ボックス３０において、基板支持板９０の下端９０Ａをヒンジして、上端９０Ｂを手前に傾倒自在に形成し、基板支持板９０の表面にメンテナンス頻度の高い制御基板３２を支持すると共に、基板支持板９０の裏面にメンテナンス頻度の低い第２電源基板３３Ｂを支持し、第２電源基板３３Ｂのメンテナンス時には、下端９０Ａを支点に、上端９０Ｂを開口部３０Ａの外に倒して第２電源基板３３Ｂをメンテナンス自在とした。【選択図】図１０
2010109149.tif 000002
【特許請求の範囲】
【請求項１】
ボックス本体と蓋体とで形成され、前記蓋体を開けると前記ボックス本体の開口部の略一杯に基板を支持した基板支持板が露出する電装ボックスにおいて、
前記基板支持板の下端をヒンジして、上端を手前に傾倒自在に形成し、
前記基板支持板の表面にメンテナンス頻度の高い基板を支持すると共に、該基板支持板の裏面にメンテナンス頻度の低い基板を支持し、
前記裏面の基板のメンテナンス時には、前記基板支持板の下端を支点に、上端を開口部の外に倒して当該基板をメンテナンス自在としたこと
を特徴とする電装ボックス。
【請求項２】
前記基板支持板の表面に支持された基板にケーブルを介して接続される基板用コネクタを、前記ボックス本体の上部に配置し、前記基板支持板の裏面に支持された基板の下部に、前記ボックス本体に設けられた別の基板用コネクタにケーブルを介して接続される基板側コネクタを設けたこと、
を特徴とする請求項１に記載の電装ボックス。
【請求項３】
前記基板支持板の下端は、前記ボックス本体の底板に立設されたベースに支持され、
前記基板支持板は、前記ベースが有する爪部が前記基板支持板の下端に形成された切り欠きに係合して傾倒自在に構成されたこと
を特徴とする請求項１または２に記載の電装ボックス。
【発明の詳細な説明】
【技術分野】
【０００１】
本発明は、基板を収容した電装ボックスに関する。
【背景技術】
【０００２】
従来、ボックス本体と蓋体とで構成され、蓋体を開けるとボックス本体に収容された基板等が露出する電装ボックスが知られている（例えば、特許文献１参照）。
【特許文献１】特開２００６−５４２１９号公報
【発明の開示】
【発明が解決しようとする課題】
【０００３】
ところで、上記蓋体を開けた状態で露出する基板の裏面側にも基板を設けた場合、この裏面側の基板のメンテナンスをするためには、基板や電装ボックスを分解しなければならないことがあり、メンテナンスに手間がかかっていた。
本発明は、上述した事情に鑑みてなされたものであり、電装ボックスに収容された基板のメンテナンス性を向上することを目的とする。
【課題を解決するための手段】
【０００４】
上記課題を解決するため、本発明は、ボックス本体と蓋体とで形成され、前記蓋体を開けると前記ボックス本体の開口部の略一杯に基板を支持した基板支持板が露出する電装ボックスにおいて、前記基板支持板の下端をヒンジして、上端を手前に傾倒自在に形成し、前記基板支持板の表面にメンテナンス頻度の高い基板を支持すると共に、該基板支持板の裏面にメンテナンス頻度の低い基板を支持し、前記裏面の基板のメンテナンス時には、前記基板支持板の下端を支点に、上端を開口部の外に倒して当該基板をメンテナンス自在としたことを特徴とする電装ボックス提供する。
この構成によれば、表面と裏面とに基板を支持した基板支持板が開口部の側に傾倒自在であるため、メンテナンス頻度の高い表面の基板を開口部からメンテナンスでき、メンテナンス頻度の低い裏面側の基板をメンテナンスする場合には、基板支持板を傾倒させることで開口部からメンテナンスを行える。これにより、裏面側の基板のメンテナンスが容易になり、電装ボックスに収容された基板のメンテナンス性を向上できる。
【０００５】
上記構成において、前記基板支持板の表面に支持された基板にケーブルを介して接続される基板用コネクタを、前記ボックス本体の上部に配置し、前記基板支持板の裏面に支持された基板の下部に、前記ボックス本体に設けられた別の基板用コネクタにケーブルを介して接続される基板側コネクタを設けても良い。
この場合、基板支持板の表面側において、基板用コネクタを、基板支持板の傾倒動作範囲の邪魔にならない位置に設置できる。また、基板支持板の裏面側における基板側コネクタが下部にあるため、傾倒動作に伴うケーブルの弛みが短くて済むので、ケーブルが傾倒動作の邪魔になりにくい。従って、基板上のコネクタとボックス本体側のコネクタとを接続するケーブルを、傾倒動作の邪魔にならないよう配置できる。
【０００６】
また、前記基板支持板の下端は、前記ボックス本体の底板に立設されたベースに支持され、前記基板支持板は、前記ベースが有する爪部が前記基板支持板の下端に形成された切り欠きに係合して傾倒自在に構成されても良い。
この場合、ベースの爪部を基板支持板の下端に形成された切り欠きに係合させる簡単な構成により、基板支持板を傾倒自在とすることができる。
【発明の効果】
【０００７】
本発明によれば、電装ボックスに収容された基板のメンテナンス性の向上を図ることができる。
【発明を実施するための最良の形態】
【０００８】
以下、図面を参照して本発明の実施の形態について説明する。
本実施の形態では、大空間施設の一例としての映画館１００に、ルーフトップ型空気調和機（以下、空気調和機という）１１０を設置した場合について説明する。図１は、映画館１００と空気調和機１１０の概略図である。
図１に示すように、映画館１００には、前方にスクリーン１０１が配置され、スクリーン１０１の後方に階段状に客席部１０２が設けられている。一方、映画館１００の天井部１０３には、空気調和機１１０から供給された調和空気を館内に吹き出す複数の吹出口１０４が設けられている。これら吹出口１０４は、給気ダクト１０５を介して、空気調和機１１０の供給口１１１に連結されている。
また、映画館１００の床部１０６には、床部１０６付近の館内空気（内気）を吸い込む吸込口１０７が設けられている。吸込口１０７は、客席部１０２から見てスクリーン１０１の背面側に設けられ、スクリーン１０１の背後空間を上方に延びる吸気ダクト１０８を介して、空気調和機１１０の内気導入口１１２に連結されている。また、空気調和機１１０には、空気調和機１１０内に屋外の空気（外気）を導入する外気導入口１１３が形成されている。
映画館１００内の空気は、矢印Ｘで示すように、吸込口１０７から吸い込まれ、吸気ダクト１０８及び内気導入口１１２を通じて、空気調和機１１０内に導かれる。ここで、空気調和機１１０内には、外気導入口１１３を通じて外気が導かれているため、この外気と上記内気とが当該空気調和機１１０内で混合される。この混合された空気は、空気調和機１１０が備える利用側熱交換器２１（図２）で熱交換された後、供給口１１１及び給気ダクト１０５を通じて、吹出口１０４から調和空気として映画館１００内に供給される。
【０００９】
空気調和機１１０は、例えば、映画館、劇場、病院、または、ショッピングセンタ等、不特定多数の人が長時間滞在する大空間施設を有する構造物２００の屋上に設置され、その直下あるいは近傍の空間を空気調和する。
図２及び図３は空気調和機１１０の構成を示す図であり、図２は空気調和機１１０の概略構成を示す図、図３は空気調和機１１０における空気の出入りを示す模式図である。
【００１０】
図２及び図３に示すように、空気調和機１１０は、１つの筐体１１４に熱源側ユニット１と利用側ユニット２とを一体に備えて構成される。
具体的には、筐体１１４内は、仕切板１１５によって区分けされており、機械室である一方の室１１６に熱源側ユニット１が配置され、他方の室１１７に利用側ユニット２が配置されている。これら熱源側ユニット１及び利用側ユニット２は、冷媒配管１０で連結されて冷媒回路を形成している。
熱源側ユニット１は、図２に示すように、冷媒配管１０に設けられた圧縮機１１を備え、圧縮機１１の吸込側に、アキュムレータ１２が接続され、その吐出側には四方弁１３と熱源側熱交換器１４と電動膨張弁１５とが順に接続されている。また、熱源側ユニット１には、熱源側熱交換器１４へ向かって送風する熱源側送風機１６が配設されている。
一方、利用側ユニット２は、上記冷媒配管１０を介して電動膨張弁１５に接続される利用側熱交換器２１と、利用側熱交換器２１へ向かって送風する利用側送風機２２とを備えて構成され、当該利用側熱交換器２１は、上記冷媒配管１０を介して上記四方弁１３に接続されている。
【００１１】
冷房運転時には、図２に示す実線矢印の方向に冷媒が流れるように、四方弁１３が切り換えられる。圧縮機１１から吐出された高圧の冷媒は、四方弁１３を経て熱源側熱交換器１４に達し、熱源側熱交換器１４において凝縮されて電動膨張弁１５に送られる。この高圧の冷媒は電動膨張弁１５で膨張して利用側熱交換器２１に流入し、利用側熱交換器２１において蒸発することにより、利用側ユニット２内に導入された空気を冷却する。利用側熱交換器２１で蒸発した冷媒は圧縮機１１の吸込側に戻る。
また、暖房運転時には、図２に示す破線矢印の方向に冷媒が流れるように、四方弁１３が切り換えられる。圧縮機１１から吐出された高圧の冷媒は、利用側熱交換器２１に送られ、利用側熱交換器２１において凝縮することにより、利用側ユニット２内に導入された空気を加温する。利用側熱交換器２１で凝縮した冷媒は、電動膨張弁１５で膨張して熱源側熱交換器１４に流入し、熱源側熱交換器１４で蒸発した後、四方弁１３を介してアキュムレータ１２に送られ、圧縮機１１の吸込側に戻る。
【００１２】
空気調和機１１０には、利用側送風機２２の運転により、利用側熱交換器２１で冷房または暖房された調和空気を除菌する除菌ユニット１５０が設けられており、本実施形態では、空気調和機１１０と、空気調和機１１０内に設けられた除菌ユニット１５０とを備えて空気調和除菌システムが構成される。
除菌ユニット１５０は、図２に示すように、利用側ユニット２に導入された空気に活性酸素種を含む電解水を接触させて空気の除菌を行う空気除菌部４と、所定のイオン種を含む水を電気分解して活性酸素種を含む当該電解水を生成し、この電解水を上記空気除菌部４に循環供給する電解水循環供給部５とを備えている。
【００１３】
利用側ユニット２が設けられる他方の室１１７は、図３に示すように、仕切板１１８によって、さらに熱交換室１１９とチャンバとしての除菌室１２０とに区分けされている。
熱交換室１１９には、上記した内気導入口１１２及び外気導入口１１３が形成され、これら内気導入口１１２及び外気導入口１１３の下流側に利用側熱交換器２１が筋交い状に配置されている。熱交換室１１９には内気導入口１１２から映画館１００の館内空気が流入する一方、外気導入口１１３から外気が流入するので、利用側熱交換器２１は、内気導入口１１２からの内気及び外気導入口１１３からの外気が全て利用側熱交換器２１を通過するように配置されている。利用側熱交換器２１は、図３に示すように上記２つの開口部と利用側送風機２２との間に配置され、筋交いのように位置する。
また、仕切板１１８には、熱交換室１１９と除菌室１２０とを連通させる開口１１８Ａが形成されている。開口１１８Ａには利用側送風機２２が取り付けられ、利用側送風機２２の運転により、熱交換室１１９内の空気が開口１１８Ａを通じて除菌室１２０に送風される。除菌室１２０には利用側送風機２２の下流側に空気除菌部４が配置され、空気除菌部４の下流側には、供給口１１１を介して給気ダクト１０５（図１）に連通する後室１２１が形成されている。利用側ユニット２に導入された空気は、除菌室１２０の空気除菌部４に設けられた気液接触部材（図示略）を通過する際に電解水と接触することにより除菌され、除菌された空気が後室１２１、供給口１１１及び給気ダクト１０５を通じて、映画館１００内に循環供給される。
【００１４】
続いて、空気調和機１１０のより具体的な実施態様を説明する。
図４は、本実施形態における電解水循環供給部５の構成及び設置状態を示す外観斜視図である。理解の便宜を図るため、図４には熱源側ユニット１及び利用側ユニット２と、電解水循環供給部５と熱源側ユニット１及び利用側ユニット２との間に敷設される配管類とを、併せて図示する。
除菌ユニット１５０（図２）は、除菌室１２０内に配置される空気除菌部４と除菌室１２０に隣接して配置される電解水循環供給部５とを備える。電解水循環供給部５は、除菌能を有する電解水を生成して空気除菌部４に循環供給し、空気除菌部４は、電解水循環供給部５から供給される電解水と空気とを接触させて空気を除菌する。
【００１５】
図４に示すように、電解水循環供給部５は、熱源側ユニット１及び利用側ユニット２とは別体として構成されるケース５０を有し、この単一のケース５０に、電解水を貯留する貯水タンク５１、所定のイオン種を含む食塩水を貯留する食塩水タンク５９、及び、電装ボックス３０を収容して構成される。電解水循環供給部５と除菌室１２０との間には、電解水循環供給部５から除菌室１２０に対して電解水を供給する電解水供給管５６、及び、除菌室１２０から電解水が電解水循環供給部５へ環流する循環水戻り管５５が接続されている。また、電解水循環供給部５には、市水（水道水）を電解水循環供給部５へ供給する給水管５７が、減圧弁５７Ａを介して接続されている。さらに、電解水循環供給部５には、貯水タンク５１内の水位が所定水位を超えた場合に排水を行うオーバーフロー管６８、及び、貯水タンク５１内の電解水を排出する排水管６７が取り付けられている。また、除菌室１２０には、除菌室１２０内に納められた除菌ユニット１５０から空気調和機１１０の外へ電解水を排水する排水管６９が接続されている。
【００１６】
図５は、電解水循環供給部５の構成を示す分解斜視図である。
図５に示すように、電解水循環供給部５のケース５０は直方体であり、ケース５０内の奥側、すなわち、除菌室１２０に近い側に、貯水タンク５１及び食塩水タンク５９が並べて配置され、手前側に電装ボックス３０が配置されている。貯水タンク５１及び食塩水タンク５９は比較的大型に形成され、ケース５０内の奥行方向の半分以上を占めている。電装ボックス３０は、貯水タンク５１と食塩水タンク５９より手前側において、電装ボックス側パネル５０Ｅと略平行に延在している。
【００１７】
また、ケース５０内には、貯水タンク５１内の水を電気分解して電解水を生成する電解ユニット５２と、貯水タンク５１内の電解水を空気除菌部４に供給する電解水供給管５６（図４）と、電解水供給管５６上に設けられた送水ポンプ５３と、送水ポンプ５３の下流側で電解水供給管５６から分岐して電解ユニット５２に接続される分岐管（図示略）と、空気除菌部４から戻る電解水を貯水タンク５１に導く循環水戻り管５５（図４）と、電解ユニット５２、送水ポンプ５３等の動作を制御する制御部（図示略）とを備えている。
【００１８】
電解水を生成する電解水生成装置４５は、電解ユニット５２が貯水タンク５１の側面に貯水タンク５１と一体的に固定配置されて構成されている。電解ユニット５２は、有底円筒形状の本体ケースと、本体ケース内に収納される少なくとも一対の電極板（図示略）とを備え、これら電極板間に電圧を印加することにより、水を電気分解して活性酸素種を含む電解水を生成させる。
【００１９】
ケース５０はその上面が着脱可能な蓋５０Ａとなっていて、底部を構成する底板５０Ｂの縁部に、側面を構成する４つの側板がそれぞれ立設されている。これら４つの側板は、複数の配管が引き出される配管引出パネル５０Ｃ、配管引出パネル５０Ｃと対向する食塩水タンク側パネル５０Ｄ、電装ボックス３０の側に位置する電装ボックス側パネル５０Ｅ、及び、ケース５０の奥側に位置する背面パネル５０Ｆにより構成されている。ここで、ケース５０の奥側とは、除菌室１２０が配置された側を指す。また、図４に示すように、底板５０Ｂの下面には、配管引出パネル５０Ｃ及び食塩水タンク側パネル５０Ｄに沿って延在する支持台４９がそれぞれ設けられ、支持台４９によって支持されるケース５０は、底板５０Ｂが浮いた状態で設置されている。
【００２０】
配管引出パネル５０Ｃは、貯水タンク５１が設置された側の側面に相当し、電解水循環供給部５の外部と貯水タンク５１とに繋がる各種配管を通すための複数の孔が開口している。
さらに、配管引出パネル５０Ｃには、側面視において電解水生成装置４５と重なる位置に、ケース５０内外に連通する導入口８８が設けられ、導入口８８からケース５０内に空気が導入される。導入口８８は、２列に並んで配管引出パネル５０Ｃの下部に形成されている。また、導入口８８は、その開口部が上方から覆われるように鎧戸状に形成されているため、導入口８８からの雨水の浸入が抑制される。また、図５には図示していないが、食塩水タンク側パネル５０Ｄにも、導入口８８と対向する位置に導入口８８と同一形状の導入口が設けられている。
【００２１】
また、電装ボックス側パネル５０Ｅは背面パネル５０Ｆとは反対側に面する側面であり、配管引出パネル５０Ｃ及び配管引出パネル５０Ｃの端を折り曲げて形成したカバー取付部５０Ｇにネジ止めされている。
蓋５０Ａは、図示しない複数のネジ等により固定され、このネジを取り外すことによって開くことが可能である。蓋５０Ａの開放状態では、ケース５０の内部に収容された電装ボックス３０、貯水タンク５１、送水ポンプ５３、食塩水タンク５９、供給ポンプ６１等の各部へのアクセスが可能となる。
蓋５０Ａは、屋外に設置される電解水循環供給部５への雨水及び塵埃の侵入を防止するため、ケース５０の上面および各側面の上端を覆っている。また、貯水タンク５１は、その上方を覆う蓋部材（図示略）により密閉される。
【００２２】
電装ボックス側パネル５０Ｅを取り外すと、ケース５０内における手前側に設けられた電装ボックス３０が露出する。
電装ボックス３０は、プリント基板、電源トランス、端子盤、コンデンサ等の各種電気回路を収容するボックス本体３１と、ボックス本体３１の一面に形成された開口部３０Ａを開放可能に塞ぐ蓋体３８とを有している。
電装ボックス３０は、直方体に形成され、その底面３０Ｂ（底板）がケース５０の底板５０Ｂから浮くように、食塩水タンク側パネル５０Ｄにブラケット３５を介して固定され、電装ボックス３０の下方の空間には、供給ポンプ６１及び送水ポンプ５３が並べて設置されている。
【００２３】
そして、電装ボックス３０には、上述の制御部を構成するマイコン等が実装された制御基板３２及び、電解水生成装置４５と送水ポンプ５３と供給ポンプ６１とに電源を供給する電源回路部３３を備えた電気回路部３４が収容されている。制御基板３２は、電装ボックス３０内において食塩水タンク側パネル５０Ｄの側に設けられ、開口部３０Ａに面して設けられている。また、電源回路部３３は、電装ボックス３０内において配管引出パネル５０Ｃの側に開口部３０Ａに面して設けられる第１電源基板３３Ａと、制御基板３２の裏面側に設けられる第２電源基板３３Ｂ（図７）とを有している。
電装ボックス３０の手前側の面を構成する蓋体３８を取り外すと、電装ボックス３０の開口部３０Ａが開放され、電装ボックス３０に収容された電気回路部３４へのアクセスが可能になる。
【００２４】
電装ボックス３０の底面３０Ｂには、電装ボックス３０の内外に連通する通気口３０Ｃが設けられ、ケース５０内に導入された空気は通気口３０Ｃから電装ボックス３０内に導かれる。また、電装ボックス３０の側面において食塩水タンク側パネル５０Ｄと面する排気側側面３０Ｄには、電装ボックス３０の外側に連通する排気口３０Ｅが設けられ、排気口３０Ｅは、食塩水タンク側パネル５０Ｄに設けられた排気孔（図示略）と繋がっている。さらに、上記排気孔には、この排気孔を覆うフード４７（図６）が取り付けられており、排気孔からの雨水等の浸入が防止されている。このように、電装ボックス３０は、通気口３０Ｃ及び排気口３０Ｅを有し、ケース５０内の空気が電装ボックス３０内を通過可能に構成されている。これにより、電装ボックス３０内を通過する気流によって電気回路部３４を冷却することができる。
【００２５】
供給ポンプ６１は、食塩水供給管６０を介して食塩水タンク５９の内部に繋がる吸込口６１Ａと、貯水タンク５１の食塩水投入部８５に繋がる吐出口６１Ｂとを有し、吸込口６１Ａから吸い込んだ食塩水を吐出口６１Ｂから吐出する。供給ポンプ６１の脚部６１Ｃは底板５０Ｂに固定されている。
送水ポンプ５３は、貯水タンク５１内の電解水を吸い込む吸込口５３Ａと、吸込口５３Ａから吸い込んだ電解水を除菌室１２０へ吐出する吐出口５３Ｂとを有する。また、吐出口５３Ｂから吐出された電解水の一部は分岐して電解ユニット５２へ供給される。送水ポンプ５３の脚部５３Ｃは底板５０Ｂに固定されている。
貯水タンク５１の電装ボックス３０側の面には、電解ユニット５２が取り付けられるとともに、供給ポンプ６１により送出された食塩水が投入される食塩水投入部８５、及び、貯水タンク５１内の電解水を供給する電解水供給口（図示略）が配置されている。
【００２６】
また、電装ボックス３０の下方に設置された供給ポンプ６１及び送水ポンプ５３は、電装ボックス３０の底面３０Ｂに穿設された配線通し孔３７を通る配線（図示略）によって電源回路部３３に接続される。
【００２７】
また、貯水タンク５１の配管引出パネル５０Ｃ側の面には、オーバーフロー排出口８１、水抜き口８２、及び、循環水戻り口８４が設けられている。オーバーフロー排出口８１は、貯水タンク５１内の電解水の水位が、オーバーフロー排出口８１の高さを超えた場合に、電解水をオーバーフロー管６８（図４）に排出させる開口部である。循環水戻り口８４は、除菌室１２０からの循環水戻り管５５が接続される開口部である。また、水抜き口８２は、メンテナンス時に貯水タンク５１内の電解水を強制的に全量排水するための開口部であり、手作業により開閉されるコックが取り付けられている。
【００２８】
貯水タンク５１の内部は仕切壁６４によって区画され、仕切壁６４には貫通孔が設けられており、この貫通孔にはスケールフィルタ６６が取り付けられ、電解水は電解ユニット５２側の室から他方の室へスケールフィルタ６６を通って流れる。スケールフィルタ６６の下流側の室には、電解水の液面レベルを検出する複数のフロートスイッチＦＳが取り付けられている。
【００２９】
図６は、蓋体３８を外した状態の電装ボックス３０をケース５０の正面から見た正面図である。図７は、図６のＡ−Ａ線における断面図である。なお、図７において配管類等は図示を省略する。
電装ボックス３０は、制御基板３２及び第２電源基板３３Ｂを支持する基板支持板９０を傾倒自在とすることで、メンテナンスを自在に行うことができる。以下、基板の支持構造について説明する。
制御基板３２及び第２電源基板３３Ｂは、電装ボックス３０の高さ方向に延在する基板支持板９０により支持され、基板支持板９０の表面側に支持された制御基板３２は、開口部３０Ａに面し、基板支持板９０の裏面側に支持された第２電源基板３３Ｂは、電装ボックス３０の背面板３０Ｆに面している。ここで、制御基板３２は、マイコンの書き換えや電解ユニット５２の電解の条件の変更等のために比較的頻繁にメンテナンスが行われる基板であり、一方、第２電源基板３３Ｂは、メンテナンス頻度の低い基板であり、例えば、点検等のために１年に１回程度のメンテナンスが行われる。また、基板支持板９０の表面側とは、ボックス本体３１に収容された状態の基板支持板９０において、開口部３０Ａに面する側を指し、基板支持板９０の裏面側とは、ボックス本体３１に収容された基板支持板９０において、ボックス本体３１の背面板３０Ｆに面する側を指している。
【００３０】
また、第１電源基板３３Ａは制御基板３２に隣接して設けられ、蓋体３８が外れた状態では、第１電源基板３３Ａ及び制御基板３２は開口部３０Ａの略一杯に亘って露出するとともに、基板支持板９０も開口部３０Ａから露出している。
基板支持板９０は、電装ボックス３０の底面３０Ｂに立設されたベース９１に支持され、開口部３０Ａの高さ方向の略一杯に亘って制御基板３２及び第２電源基板３３Ｂを支持している。
【００３１】
図７に示すように、ベース９１は電装ボックス３０の奥行方向の略中央に設けられている。基板支持板９０は、その下端９０Ａをベース９１により支持されて上方に延び、その上端９０Ｂが電装ボックス３０の上部に設けられた支持板固定部３６にビス３９により固定されている。支持板固定部３６は、電装ボックス３０の天板３０Ｇから膨出する膨出部３０Ｈに設けられている。また、膨出部３０Ｈには、電装ボックス３０の外部、すなわち、電解水生成装置４５、送水ポンプ５３及び供給ポンプ６１等にケーブル等を介して接続された制御基板用コネクタ２５（基板用コネクタ）が設けられている。制御基板用コネクタ２５は、制御ケーブル４１を介して、制御基板３２の上部に設けられた制御基板側コネクタ３２Ａに接続されている。制御基板用コネクタ２５は、基板支持板９０の上方に設けられており、基板支持板９０の傾倒動作の邪魔にならない位置にある。
【００３２】
また、電装ボックス３０の下部において基板支持板９０の裏面側の空間には、電解水生成装置４５、送水ポンプ５３及び供給ポンプ６１等に電源を供給するケーブルが接続された第２電源基板用コネクタ２６（別の基板用コネクタ）が設けられている。第２電源基板用コネクタ２６は、電源ケーブル４２を介して、第２電源基板３３Ｂの下部に設けられた第２電源基板側コネクタ３３Ｃ（基板側コネクタ）に接続されている。
【００３３】
図８は、基板支持板９０及びベース９１の分解斜視図である。図９は、基板支持板９０が傾倒した状態を示す斜視図である。
基板支持板９０及びベース９１は板金加工により形成される。基板支持板９０において、その表面に制御基板３２を支持し、裏面に第２電源基板３３Ｂを支持する略長方形の板部９０Ｃの幅方向の両縁部には、それぞれリブ９０Ｄが形成されている。また、板部９０Ｃの四隅には、制御基板３２及び第２電源基板３３Ｂを基板支持板９０に固定するビス等が係合する孔部９０Ｅが複数形成されている。
【００３４】
さらに、上端９０Ｂには、支持板固定部３６の側に突出した突起９０Ｆが形成されており、突起９０Ｆを支持板固定部３６の開口３６Ａ（図１０）に係合させることで、基板支持板９０を支持板固定部３６に位置決めできる。各突起９０Ｆの下方には、ビス３９が通る孔９０Ｇが形成されている。
また、下端９０Ａの幅方向の両端には、基板支持板９０の表面の側に突出する第１ストッパ９０Ｈが形成されている。下端９０Ａの幅方向の中央には、ベース９１の上端に形成された爪部９１Ａが係合する切り欠き９０Ｉが形成されている。さらに、切り欠き９０Ｉの近傍からは、基板支持板９０の裏面の側に突出する第２ストッパ９０Ｊが形成されている。第２ストッパ９０Ｊは、板部９０Ｃから略垂直に延びる垂直部９０Ｋと、垂直部９０Ｋから上端９０Ｂの側に突出する突起９０Ｌとを備えている。
【００３５】
ベース９１は、板状のベース板９１Ｂを有し、ベース板９１Ｂの上端には開口部３０Ａの側に突出するリブ９１Ｃが形成されている。爪部９１Ａはリブ９１Ｃ上に連続して形成され、リブ９１Ｃの端から上方に延びる鉛直部９１Ｆと、鉛直部９１Ｆの端から電装ボックス３０の背面板３０Ｆの側へ折り曲げられた上面９１Ｇとを有し、断面コの字状に形成されている。爪部９１Ａは、切り欠き９０Ｉに対応して、ベース９１の幅方向の略中央に設けられている。また、ベース板９１Ｂの下端におけるベース板９１Ｂの幅方向の両端には、開口部３０Ａの側に突出する固定部９１Ｄが形成されている。各固定部９１Ｄには、ベース９１を固定部９１Ｄを介して電装ボックス３０の底面３０Ｂに固定するビスが通る孔９１Ｅが形成されている。
【００３６】
上述のように、基板支持板９０は、ベース９１により支持され、上端９０Ｂが支持板固定部３６にビス３９により固定されている。詳細には、基板支持板９０は、爪部９１Ａの上面９１Ｇが切り欠き９０Ｉに係合するとともに、図７に示すように、第２ストッパ９０Ｊがリブ９１Ｃに当接した状態でベース９１により支持され、上端９０Ｂが孔９０Ｇを介してビス３９により固定されている。
【００３７】
そして、基板支持板９０は、図９に示すように傾倒可能に構成され、基板支持板９０の裏面側に支持された第２電源基板３３Ｂ等をメンテナンスできるように構成されている。基板支持板９０が傾倒する際は、基板支持板９０は、爪部９１Ａが切り欠き９０Ｉに係合したまま爪部９１Ａを中心として開口部３０Ａの側に傾倒し、最も傾倒した状態では、切り欠き９０Ｉは爪部９１Ａの鉛直部９１Ｆの基端部まで入り込んでいる。すなわち、基板支持板９０は、下端９０Ａが爪部９１Ａによってヒンジされており、下端９０Ａの切り欠き９０Ｉを支点として上端９０Ｂを開口部３０Ａの外に倒すことが可能である。
また、基板支持板９０は、第１ストッパ９０Ｈがベース板９１Ｂの上部に当接するとともに、第２ストッパ９０Ｊの突起９０Ｌが鉛直部９１Ｆに当接することにより、基板支持板９０のベース９１に対する角度が規制され、傾倒する角度が決定されている。本実施の形態では、基板支持板９０の傾倒角度は、制御基板３２に設けられた部品及び制御基板３２が底面３０Ｂに接触しない角度を十分に保ちつつ、メンテナンスがし易いように水平方向に近づけている。
【００３８】
図１０は、基板支持板９０が傾倒した状態を示す側面断面図である。
ここで、図７及び図１０を参照して、基板支持板９０を傾倒させる手順について説明する。
まず、作業者は、開口部３０Ａから電装ボックス３０内に手を伸ばし、制御ケーブル４１を制御基板側コネクタ３２Ａから取り外した後、支持板固定部３６のビス３９を取り外す。これにより、基板支持板９０の固定が解除され、基板支持板９０が手前側に傾倒可能な状態となる。次いで、基板支持板９０を開口部３０Ａの外に向けて傾倒させていくと、第１ストッパ９０Ｈ及び第２ストッパ９０Ｊにより基板支持板９０の角度が規制され、基板支持板９０の傾倒角度が所定の角度に固定される。この状態では、基板支持板９０の裏面側に支持された第２電源基板３３Ｂの大部分が開口部３０Ａから電装ボックス３０の外側に露出するため、作業者は、基板支持板９０を取り外したり、ボックス本体３１を分解したりすることなく、開口部３０Ａの側から第２電源基板３３Ｂのメンテナンスを行うことができる。また、第１ストッパ９０Ｈ及び第２ストッパ９０Ｊにより基板支持板９０により基板支持板９０の傾倒角度が固定されるため、作業者はメンテナンスの際に、基板支持板９０を手で押さえて支持する必要がないため、メンテナンス性が向上する。
【００３９】
また、基板支持板９０の傾倒動作に伴い、第２電源基板３３Ｂの下部に設けられた第２電源基板側コネクタ３３Ｃは傾倒方向に移動し、電源ケーブル４２も第２電源基板側コネクタ３３Ｃとともに移動する。本実施の形態では、第２電源基板側コネクタ３３Ｃが基板支持板９０の傾倒動作の中心となる爪部９１Ａに近い第２電源基板３３Ｂの下部に設けられているため、傾倒動作に伴う第２電源基板側コネクタ３３Ｃの移動量を小さくできる。これにより、第２電源基板側コネクタ３３Ｃに接続された電源ケーブル４２の移動量を小さくできるため、電源ケーブル４２の弛みを小さくすることができ、電源ケーブル４２を短くできるとともに、電源ケーブル４２が傾倒動作の邪魔になりにくいため、電源ケーブル４２の移動に起因するトラブルの発生を防止できる。また、電源ケーブル４２を第２電源基板側コネクタ３３Ｃから取り外すことなく基板支持板９０を傾倒できるため、メンテナンスが容易である。さらに、第２電源基板用コネクタ２６が電装ボックス３０の下部に設けられており、第２電源基板側コネクタ３３Ｃの近くに位置しているため、電源ケーブル４２が短くて済み、電源ケーブル４２が傾倒動作の邪魔になりにくい。
また、傾倒させた基板支持板９０は、基板支持板９０を電装ボックス３０に収める方向に押し戻すことで、簡単に電装ボックス３０に収容された状態に戻すことができ、メンテナンスが容易である。
【００４０】
以上、本実施形態によれば、表面に制御基板３２を支持し、裏面に第２電源基板３３Ｂを支持した基板支持板９０が開口部３０Ａの側に傾倒自在であるため、メンテナンス頻度の高い制御基板３２を開口部３０Ａからメンテナンスでき、メンテナンス頻度の低い第２電源基板３３Ｂをメンテナンスする場合には、基板支持板９０を傾倒させることで開口部３０Ａからメンテナンスすることができる。これにより、第２電源基板３３Ｂのメンテナンスが容易になり、電装ボックス３０のメンテナンス性を向上できる。
【００４１】
また、基板支持板９０の表面側において、制御基板用コネクタ２５を、基板支持板９０の傾倒動作範囲の邪魔にならない位置に設置できる。また、基板支持板９０の裏面側にある第２電源基板用コネクタ２６が下部にあるため、傾倒動作に伴う電源ケーブル４２の弛みが短くて済むので、電源ケーブル４２が傾倒動作の邪魔になりにくい。従って、電源ケーブル４２を、傾倒動作の邪魔にならないよう配置できる。
さらに、ベース９１の爪部９１Ａを基板支持板９０の下端９０Ａに形成された切り欠き９０Ｉに係合させる簡単な構成により、基板支持板９０を傾倒自在とすることができる。このため、蝶番を用いた一般的なヒンジ機構を用いるよりも簡単な構成により、基板支持板９０を傾倒自在とすることができる。
【００４２】
以上、実施形態に基づいて本発明を説明したが、本発明はこれに限定されるものではない。例えば、本実施の形態では、第２電源基板用コネクタ２６は、電装ボックス３０の下部において基板支持板９０の裏面側の空間に設けられるものとして説明したが、本発明はこれに限定されるものではない。第２電源基板用コネクタ２６は、基板支持板９０の裏面側の空間に設けられることが好ましく、電装ボックス３０の上部や中央部に設けられても良い。また、本発明の電装ボックスを適用する装置は、空気調和装置や空気除菌装置に限定されない。その他の細部構成等についても任意に変更可能であることは勿論である。
【図面の簡単な説明】
【００４３】
【図１】本実施形態に係るルーフトップ型空気調和機が建屋に設置された状態を示す断面図である。
【図２】空気調和機の概略構成を示す図である。
【図３】空気調和機の内部構成を上方から見た図である。
【図４】空気調和機に設けられた除菌ユニットの概略構成を示す図である。
【図５】電解水循環供給部の構成を示す分解斜視図である。
【図６】蓋体を外した状態の電装ボックスをケースの正面から見た正面図である。
【図７】図６におけるＡ−Ａ線の断面図である。
【図８】基板支持板及びベースの分解斜視図である。
【図９】基板支持板が傾倒した状態を示す斜視図である。
【図１０】基板支持板が傾倒した状態を示す側面断面図である。
【符号の説明】
【００４４】
２５  制御基板用コネクタ（基板用コネクタ）
２６  第２電源基板用コネクタ（別の基板用コネクタ）
３０  電装ボックス
３０Ａ  開口部
３０Ｂ  底面（底板）
３１  ボックス本体
３２  制御基板
３２Ａ  制御基板側コネクタ
３３  電源回路部
３３Ａ  第１電源基板
３３Ｂ  第２電源基板
３３Ｃ  第２電源基板側コネクタ（基板側コネクタ）
３４  電気回路部
３８  蓋体
４１  制御ケーブル
４２  電源ケーブル
５０  ケース
９０  基板支持板
９０Ａ  下端
９０Ｂ  上端
９１  ベース
９１Ａ  爪部
【図１】
2010109149.tif 000003
【図２】
2010109149.tif 000004
【図３】
2010109149.tif 000005
【図４】
2010109149.tif 000006
【図５】
2010109149.tif 000007
【図６】
2010109149.tif 000008
【図７】
2010109149.tif 000009
【図８】
2010109149.tif 000010
【図９】
2010109149.tif 000011
【図１０】
2010109149.tif 000012